(57)【要約】  【課題】外部装置専用のアプリケーションを必要とすることなく、外部装置上でオーディオデータ及び／又はビデオデータから構成されるデジタルデータのうち使用者が再生を希望するインデックスを付したデジタルデータ部分を選択的に再生することを目的とする。  【解決手段】位置情報ファイルとリンクした前記データファイルを外部装置に送信する場合に位置情報で特定される前記デジタルデータの時間軸上の所定の位置を基に前記データファイルを分割処理し複数の分割データファイルを作成するデータファイル分割装置と、当該データファイル分割装置によって作成された分割データファイルを外部装置に送信するデータファイル送信装置を備えることを特徴とする。【選択図】図１【特許請求の範囲】
【請求項１】
オーディオデータ及び／又はビデオデータから構成されるデジタルデータを含むデータファイル及び当該データファイルとリンクして前記デジタルデータの時間軸上の位置を示す位置情報が記録される位置情報ファイルを格納するデータ記録装置において、
前記位置情報ファイルとリンクした前記データファイルを外部装置に送信する場合に位置情報で特定される前記デジタルデータの時間軸上の所定の位置を基に前記データファイルを分割処理し複数の分割データファイルを作成するデータファイル分割装置と、当該データファイル分割装置によって作成された分割データファイルを前記外部装置に送信するデータファイル送信装置を備えることを特徴とするデータ記録装置。
【請求項２】
前記外部装置と接続するための接続装置を有し、当該接続装置が外部装置と接続したときに前記データファイル分割装置が前記分割データファイルの作成を行うことを特徴とする請求の範囲１に記載のデータ記録装置。
【請求項３】
前記データファイル分割装置は、作成する各々の分割データファイルの所定の部分に分割ファイル結合情報を記録することを特徴とする請求の範囲１又は請求の範囲２に記載のデータ記録装置。
【請求項４】
前記データファイル分割装置は、作成した複数の前記分割データファイルを格納するフォルダを作成し、前記データファイル送信装置が前記フォルダを前記外部装置に送信することを特徴とする請求の範囲１乃至請求の範囲３のいずれかに記載のデータ記録装置。
【請求項５】
前記データファイル分割装置が作成した複数の前記分割データファイルの中から前記データファイル送信装置により前記外部装置に送信すべき１又は複数の前記分割データファイルを選択するデータファイル選択装置を有することを特徴とする請求の範囲１に記載のデータ記録装置。
【請求項６】
オーディオデータ及び／又はビデオデータから構成されるデジタルデータを含むデータファイル及び当該データファイルとリンクして前記デジタルデータの時間軸上の位置を示す位置情報が記録される位置情報ファイルを格納するデータ記録装置におけるデータファイルの送信方法において、
前記位置情報ファイルとリンクした前記データファイルを外部装置に送信する場合に、位置情報で特定される前記デジタルデータの時間軸上の所定の位置を基に前記データファイルを分割処理し複数の分割データファイルを作成し、作成された前記分割データファイルを前記外部装置に送信することを特徴とするデータ記録装置におけるデータファイルの送信方法。
【請求項７】
前記外部装置と接続するための接続手段を有し、当該接続手段が外部装置と接続したときに前記分割データファイルの作成を行うことを特徴とする請求の範囲６に記載のデータ記録装置におけるデータファイルの送信方法。
【請求項８】
作成する各々の分割データファイルの所定の部分に分割ファイル結合情報を記録することを特徴とする請求の範囲６又は請求の範囲７に記載のデータ記録装置におけるデータファイルの送信方法。
【請求項９】
作成した複数の前記分割データファイルを格納するフォルダを作成し、当該フォルダを前記外部装置に送信することを特徴とする請求の範囲６乃至請求の範囲８のいずれかに記載のデータ記録装置におけるデータファイルの送信方法。
【請求項１０】
作成した複数の前記分割データファイルの中から前記外部装置に送信すべき１又は複数の前記分割データファイルを選択することを特徴とする請求の範囲６に記載のデータ記録装置におけるデータファイルの送信方法。
【発明の詳細な説明】
【技術分野】
【０００１】
本発明は、データ記録装置に係り、特にオーディオデータ及び／又はビデオデータから構成されるデジタルデータの時間軸上の任意の位置にデータの区切り（以下、インデックスという。）を書き込む機能及び外部装置に当該デジタルデータを含むデータファイルを送信する機能を持つデータ記録装置に関する。
【背景技術】
【０００２】
従来から音声信号や音楽信号を取り込みオーディオデータに変換しデジタルデータとし、それを含むデータファイルを作成して記録媒体に格納するデータ記録装置として、例えばＩＣレコーダがある。また、動画像信号を取り込みビデオデータに変換しデジタルデータとし、それを含むデータファイルを作成して記録媒体に格納するデータ記録装置として、例えばデジタルカメラがある。【０００３】
このようなデータ記録装置には、使用者が音声や音楽、あるいは動画像の記録途中、データファイルの中のオーディオデータ及び／又はビデオデータから構成されるデジタルデータに対し、任意の時間軸上の位置にインデックスを設定するものがある。そして、再生時に、この設定されたインデックスに基づいて使用者が再生を望むデジタルデータ部分を検索し、検索したデジタルデータ部分のみを選択的に再生することが可能である。通常設定されるインデックス（時間軸上の位置を示す位置情報）は、データファイルとは別に、デジタルデータとリンクしてデジタルデータの時間軸上の位置情報を記録したインデックスファイルとして保持される。【０００４】
また、このようなデータ記録装置をＰＣ等の情報処理装置等の外部装置（以下、ＰＣという。）とＵＳＢ接続し、ＰＣでデータ記録装置のメモリに格納されたデータファイルを再生する場合には、このデータファイルをＰＣに送信した後、ＰＣ上のアプリケーションを用いてこのデータファイルを再生していた。
【特許文献１】特開平８−２５５４６６号公報
【発明の開示】
【発明が解決しようとする課題】
【０００５】
しかしながら、このようなデータ記録装置のメモリに格納されたデータファイルの中のデジタルデータのうち、使用者が再生を希望するインデックスを付したデジタルデータ部分をＰＣ上で選択的に再生するためには、このデータファイル及び当該デジタルデータ部分とリンクするインデックスが書き込まれるインデックスファイルをＰＣに送信した後、ＰＣの専用アプリケーションを用いてこのデータファイルとインデックスファイルをリンクさせる必要があった。【０００６】
つまり、データファイルとインデックスファイルをリンクさせる専用アプリケーションを用いなければ、データ記録装置において書き込んだインデックスに基づいて使用者が再生を望むデジタルデータ部分をＰＣ上で検索することができず、ＰＣ上で使用者が再生を希望するデジタルデータ部分のみを選択的に再生することができないという問題があった。【０００７】
本発明は、このようなＰＣ専用のアプリケーションを必要とすることなく、ＰＣ上でデジタルデータのうち使用者が再生を希望するインデックスを付したデジタルデータ部分を選択的に再生することを目的とする。
【課題を解決するための手段】
【０００８】
請求の範囲１に記載のデータ記録装置は、オーディオデータ及び／又はビデオデータから構成されるデジタルデータを含むデータファイル及び当該データファイルとリンクして前記デジタルデータの時間軸上の位置を示す位置情報が記録される位置情報ファイルを格納するデータ記録装置において、
前記位置情報ファイルとリンクした前記データファイルを外部装置に送信する場合に位置情報で特定される前記デジタルデータの時間軸上の所定の位置を基に前記データファイルを分割処理し複数の分割データファイルを作成するデータファイル分割装置と、当該データファイル分割装置によって作成された分割データファイルを前記外部装置に送信するデータファイル送信装置を備えることを特徴とする。【０００９】
請求の範囲２に記載の発明は、請求の範囲１に記載のデータ記録装置において、前記外部装置と接続するための接続装置を有し、当該接続装置が外部装置と接続したときに前記データファイル分割装置が前記分割データファイルの作成を行うことを特徴とする。【００１０】
請求の範囲３に記載の発明は、請求の範囲１に記載のデータ記録装置において、前記データファイル分割装置は、作成する各々の分割データファイルの所定の部分に分割ファイル結合情報を記録することを特徴とする。【００１１】
請求の範囲４に記載の発明は、請求の範囲１乃至請求の範囲３のいずれかに記載のデータ記録装置において、前記データファイル分割装置は、作成した複数の前記分割データファイルを格納するフォルダを作成し、前記データファイル送信装置が前記フォルダを前記外部装置に送信することを特徴とする。【００１２】
請求の範囲５に記載の発明は、請求の範囲１に記載のデータ記録装置において、前記データファイル分割装置が作成した複数の前記分割データファイルの中から前記データファイル送信装置により前記外部装置に送信すべき１又は複数の前記分割データファイルを選択するデータファイル選択装置を有することを特徴とする。【００１３】
請求の範囲６に記載のデータ記録装置におけるデータファイルの送信方法は、オーディオデータ及び／又はビデオデータから構成されるデジタルデータを含むデータファイル及び当該データファイルとリンクして前記デジタルデータの時間軸上の位置を示す位置情報が記録される位置情報ファイルを格納するデータ記録装置におけるデータファイルの送信方法において、
前記位置情報ファイルとリンクした前記データファイルを外部装置に送信する場合に、位置情報で特定される前記デジタルデータの時間軸上の所定の位置を基に前記データファイルを分割処理し複数の分割データファイルを作成し、作成された前記分割データファイルを前記外部装置に送信することを特徴とする。【００１４】
請求の範囲７に記載の発明は、請求の範囲６に記載のデータ記録装置におけるデータファイルの送信方法において、前記外部装置と接続するための接続手段を有し、当該接続手段が外部装置と接続したときに前記分割データファイルの作成を行うことを特徴とする。【００１５】
請求の範囲８に記載の発明は、請求の範囲６又は請求の範囲７に記載のデータ記録装置におけるデータファイルの送信方法において、作成する各々の分割データファイルの所定の部分に分割ファイル結合情報を記録することを特徴とする。【００１６】
請求の範囲９に記載の発明は、請求の範囲６乃至請求の範囲８のいずれかに記載のデータ記録装置におけるデータファイルの送信方法において、作成した複数の前記分割データファイルを格納するフォルダを作成し、当該フォルダを前記外部装置に送信することを特徴とする。【００１７】
請求の範囲１０に記載の発明は、請求の範囲６に記載のデータ記録装置におけるデータファイルの送信方法において、作成した複数の前記分割データファイルの中から前記外部装置に送信すべき１又は複数の前記分割データファイルを選択することを特徴とする。
【発明の効果】
【００１８】
本発明のデータ記録装置によれば、前記位置情報ファイルとリンクした前記データファイルを前記外部装置に送信する場合、送信前にデータ記録装置において前記データファイル分割装置が位置情報で特定されるデジタルデータの時間軸上の所定の位置で前記データファイルを複数の分割データファイルに分割処理するので、前記外部装置は位置情報に基づいて作成された前記データファイルを受信することになる。従って、前記外部装置において、位置情報に基づいて分割処理によって作成した複数の前記データファイルの中から使用者が再生を希望する前記データファイルのみ選択することが可能となる。つまり、前記データファイルと前記位置情報ファイルをリンクさせることによって位置情報で特定されるデジタルデータ部分を選択的に再生する場合と同様に、使用者が再生を希望するデジタルデータ部分を選択的に再生することができる。而して、前記データファイルと前記位置情報ファイルをリンクさせる外部装置専用のアプリケーションを用いることなく使用者が再生を希望するデジタルデータ部分を選択的に再生することができる。【００１９】
また、前記データファイルの送信を前記データ記録装置と前記外部装置とを接続する接続装置を介して行う場合、前記データファイル分割装置によるデータファイルの分割処理を当該接続手段が外部装置と接続したときに行うので、分割によって作成されたデータファイルを送信する場合に必要となる前記外部装置への接続手段の接続に伴って自動的に分割されたデータファイルを前記外部装置に送信することができる。従って、例えば、後述する使用者によるデータ記録装置におけるインデックス分割モードの設定等の煩わしい作業の必要をなくすことができる。【００２０】
また、前記データファイル分割装置が作成する各々の分割データファイルの所定の部分にファイル結合情報を記録するので、前記データファイル分割装置が前記データファイルより複数の分割データファイルを作成した後に、前記外部装置においてこれらの分割データファイルを結合することができる。これにより、前記外部装置において分割前のデータファイルを復元することができ、分割前のデータファイルの状態でデジタルデータを連続再生することが可能となる。【００２１】
また、前記データファイル分割装置は、分割処理後の複数の分割データファイルを格納するフォルダを作成し、前記データファイル送信装置が前記フォルダを前記外部装置に送信するので、前記外部装置において分割後のデータファイルを分割前のデータファイルに関連させて一まとまりで保存でき、分割後の各々の分割データファイルが元々どのデータファイルに属していたのかを容易に知ることができる。【００２２】
さらに、データファイル選択装置が、前記データファイル送信装置が前記外部装置に送信する１又は複数の分割データファイルを選択するので、前記外部装置は選択された１又は複数の分割データファイルのみ受信することができる。これにより、使用者が再生を希望する１又は複数の分割データファイルを前記外部装置において選択することなく再生することができる。
【実施例】
【００２３】
以下、本発明の第１実施例に係るＩＣレコーダ１について説明する。
図１は、第１実施例に係るＩＣレコーダ１の概略構成を示すブロック図である。
電源回路３は、バッテリ４、スイッチＳＷ１などから構成され、ＩＣレコーダ１全体に電圧を供給するものである。【００２４】
ＭＣＵ（マイクロコントローラユニット）５は、キー入力装置１１の使用者による操作に応じて、ＩＣレコーダ１において後述する各種制御を行う。また、このＭＣＵ５は、データファイル分割装置として機能する音声データファイル分割回路５a及びデータファイル選択装置として機能する音声データファイル選択回路５bを備える。【００２５】
音声データファイル分割回路５aは、フラッシュメモリ８から読み出された音声データファイルを複数の音声データファイルに分割する。音声データファイル選択回路５bは、音声データファイル分割回路５aが分割した複数の音声データファイルの中からＰＣ２に送信すべき音声データファイルを選択する。【００２６】
ＤＳＰ７は、デジタル音声データの圧縮及び伸張を行う。Ａ／Ｄ＆Ｄ／Ａコンバータ１８は、アナログ音声信号をデジタル音声データに変換し、デジタル音声データをアナログ音声信号に変換する。フラッシュメモリ８は、デジタルデータである音声データを含む音声データファイル及びインデックスデータが書き込まれるインデックスデータファイルを格納する。バス９は、ＩＣレコーダ１において、ＤＳＰ７、フラッシュメモリ８、メモリ１０の相互間における音声データの交換及びＭＣＵ５が入出力するコントロール信号の伝達などを行うための経路である。【００２７】
メモリ１０は、ＤＳＰ７から出力された音声データを一時保存する。キー入力装置１１は、図示しないキーやボタンを備え、その押下状態によってＭＣＵ５へ制御信号を出力し、使用者が所望するＩＣレコーダ１の動作制御を可能にする。【００２８】
スピーカ１３は、アンプ１２ｂにおいて増幅されたアナログ音声信号を音声としてＩＣレコーダ１の外部へ出力する。マイクロフォン１７は、外部の音声を入力し、この音声をＡ／Ｄ＆Ｄ／Ａコンバータ１８にアナログ音声信号として出力するものである。アンプ１２ｂは、アナログ音声データを増幅してスピーカ１３に出力する。また、アンプ１２ａは、マイクロフォン１７から出力されたアナログ音声信号を増幅する。【００２９】
ＧＰＩＯ（General Purpose I/O (汎用入出力)）１４は、ＰＣ２から後述するＵＳＢ端子１６を介してＩＣレコーダ１全体に供給される後述するＵＳＢバスパワー電圧の変化に基づいて、ＩＣレコーダ１のＵＳＢ端子１６とＰＣ２の図示しないＵＳＢ端子の接続が確立したことを検知し、その旨の信号をＭＣＵ５に出力する。【００３０】
ＵＳＢコントローラ１５は、データファイル送信装置として機能し、ＩＣレコーダ１とＰＣ２間の音声データファイル等の送受信の制御を行う。ＵＳＢ端子１６は、接続手段として機能し、ＩＣレコーダ１とＰＣ２間の音声データファイルの送受信を可能にするためＰＣ２に設けられた図示しないＵＳＢ端子と接続される。【００３１】
ＰＣ２は、情報処理装置の一例であって、外部装置として機能し、各種情報処理を行う。また、ＰＣ２は、ＵＳＢ端子１６を介してＩＣレコーダ１と接続され、ＩＣレコーダ１との間において音声データファイルの送受信を行う。【００３２】
第１実施例のＩＣレコーダ１は、音声再生機能，音声記録機能，及び外部ストレージ機能を備える。以下、これらの機能に関するＭＣＵ５による制御処理について説明する。【００３３】
1)音声記録機能
第１実施例における音声記録機能とは、ＩＣレコーダ１に外部の音声を録音する機能であり、具体的には、マイクロフォン１７によって捉えられた外部の音声を、符号化及び圧縮された音声データとしてフラッシュメモリ８にＭＰ３のファイル形式で格納する機能である。【００３４】
初めに、ＩＣレコーダ１がＰＣ２と接続されていない状態、つまりＵＳＢ非接続状態で、この電源回路３に設けられた図示しない電源スイッチのオン操作が行われると、スイッチＳＷ１がオフ状態からオン状態に遷移し、バッテリ４からＩＣレコーダ１全体に電圧が供給される。【００３５】
ＵＳＢ非接続状態でキー入力装置１１によって音声記録操作が行われると、ＭＣＵ５は、ＤＳＰ７を圧縮モードに設定する。Ａ／Ｄ＆Ｄ／Ａコンバータ１８は、マイクロフォン１７によって捉えられ且つアンプ１２ａによって増幅されたアナログ音声データをデジタル音声データに変換し、変換されたデジタル音声データをＤＳＰ７に出力する。ＤＳＰ７は、出力された音声データを圧縮し、圧縮音声データをメモリ１０に蓄積する。ＭＣＵ５は、メモリ１０に蓄積された圧縮音声データをＭＰ３のファイル形式でフラッシュメモリ８に格納する。【００３６】
また、音声の記録中に、キー入力装置１１において使用者によりインデックス操作が行われると、図２に示すように、音声データファイルに含まれる音声データの時間軸上の位置を表わすインデックスが音声データの所定の部分に対応して設定される。つまり、インデックス操作が行われると、ＭＣＵ５は、音声データファイルとリンクしてインデックスデータファイルを作成し、作成したインデックスファイルをフラッシュメモリ８に格納する。そして、このインデックスファイルには、ＭＣＵ５により、図３に示すようなインデックスデータ、即ちインデックスが音声データの先頭から何番目に付されたものであるかを示すインデックス番号と、このインデックス番号に対応する音声データ部分の始点及び終点の位置（インデックス位置絶対フレーム数（音声データの先頭からのフレーム数）で示される。）が書き込まれる。なお、ここで言う「フレーム」とは、圧縮や伸張を行う際にまとめて取り扱う音声データの単位である。【００３７】
そして、音声記録終了後、使用者の操作に応じて、このインデックスデータに基づいた音声データファイルの分割が行われる。つまり、音声データファイルの分割は、分割前の音声データファイルと同じ名称を有するフォルダをフラッシュメモリ８に作成した後、図２に示すように、音声データ分割回路５aがＮo.１のインデックスの始点の位置で音声データファイルを分割し、その後、Ｎo.１のインデックスの終点の位置、Ｎo.２のインデックスの始点の位置、Ｎo.２のインデックスの終点の位置で順次音声データファイルを分割する。音声データファイルの分割が終わると、音声データ分割回路５aにより分割された各々の分割データファイルの所定部分に分割前の音声データファイルを復元するためのファイル結合情報が記録される。なお、分割処理によって得られた分割データファイルは、分割処理開始時にフラッシュメモリ８に作成されるた前記分割前の音声データファイルと同じ名称を有するフォルダに格納される。【００３８】
ファイル結合情報とは、分割前の音声データファイルのファイル名、分割によって作成された分割データファイルの総個数、当該分割データファイルが分割前の音声データファイルの時間軸上の順位、等である。音声データ分割回路５aにより分割された各々の分割データファイルが送信されたＰＣ２は、該分割データファイルに対応した専用の編集アプリケーションを具備していれば、これらの情報を用いることによって分割前の音声データファイルを復元することが可能となる。なお、ＰＣ２への分割データファイルの送信については後で述べる。【００３９】
2)音声再生機能
第１実施例における音声再生機能とは、ＩＣレコーダ１に記録された音声データファイルを再生する機能であり、具体的には、フラッシュメモリ８にＭＰ３のファイル形式で格納された符号化及び圧縮された音声データを、伸張及び復号化した後にスピーカ１３から出力する機能である。【００４０】
初めに、ＵＳＢ非接続状態でキー入力装置１１によって音声再生操作が行われると、ＭＣＵ５は、ＤＳＰ７を伸長モードに設定し、フラッシュメモリ８に格納された音声データファイルを、バス９を通して読み出す。読み出された音声データファイルは、メモリ１０を通してＤＳＰ７に出力される。【００４１】
ここで、キー入力装置１１によって音声データファイルの分割操作が行われると、音声データファイル分割回路５aはフラッシュメモリ８から読み出された音声データファイルを複数の音声データファイルに分割し、これらの音声データファイルを、ＤＳＰ７に出力する。また、この音声データファイルの分割操作がインデックスに基づくファイル分割であった場合には、音声データファイル分割回路５aはフラッシュメモリ８から読み出された音声データファイルをインデックスで特定される所定の位置において複数の音声データファイルに分割し、これらの音声データファイルを、フラッシュメモリ８に出力する。【００４２】
ＤＳＰ７は、フラッシュメモリ８より読み出された音声データファイルに含まれる圧縮された音声データを伸張し、伸張されたデジタル音声データはＡ／Ｄ＆Ｄ／Ａコンバータ１８によりアナログ音声信号に変換され、アンプ１２ｂを通してスピーカ１３から出力される。【００４３】
尚、録音時にインデックスデータファイルに書き込まれたインデックスに対応する音声データ部分の再生は、ＭＣＵ５がインデックスデータファイルに書き込まれたインデックスの始点と終点に対応する音声データの位置を読み込んだ後、ＭＣＵ５がこの始点と終点に挟まれた領域の音声データを再生することによって行う。【００４４】
3)外部ストレージ機能
第１実施例における外部ストレージ機能とは、ＰＣ２からのアクセス要求に応答して、ＰＣ２との間において音声データファイル等を送受信する機能である。【００４５】
初めに、ＩＣレコーダ１がＵＳＢ端子１６によってＰＣ２と接続されると、つまりＵＳＢ接続状態に移行すると、ＵＳＢバスパワー電圧がＰＣ２からＩＣレコーダ１全体に供給される。【００４６】
ＵＳＢ接続状態でキー入力装置１１によって外部ストレージモード選択操作が行われると、ＭＣＵ５は、ＰＣ２からのアクセス要求に従ってフラッシュメモリ８にアクセスする。アクセス要求がファイルの書き込みを要求するものであれば、ＭＣＵ５は、ＰＣ２から同時に与えられる音声データファイルを、バス９を通してフラッシュメモリ８に書き込む。また、アクセス要求が音声データファイルの読み出し（送信）を要求するものであれば、ＭＣＵ５は、フラッシュメモリ８に記憶された所望の音声データファイルを、バス９を通して読み出し、読み出した音声データファイルをＵＳＢコントローラ１５及びＵＳＢ端子１６を通してＰＣ２に送信する。【００４７】
次に、第１実施例に係るＩＣレコーダ１におけるＭＣＵ５による音声データファイルのＰＣ２への送信処理を、図４を用いて説明する。
ここで、第１実施例における分割した音声データファイルのＰＣ２への送信は、インデックス分割モードにおいて行われる。インデックス分割モードの設定は、予め使用者が分割を希望する音声データファイルを選択した後、録音中にインデックスを書き込んだ位置で音声データファイル中の音声データを分割するインデックス分割モードを選択することによって行われる。【００４８】
初めに、フラッシュメモリ８内に、分割前の音声データファイルと同じ名称を有し、分割した後の音声データファイルを格納するためのフォルダを作成する（Ｓ１）。次に、音声データファイル分割回路５aは、図２に示すように、Ｎo.１のインデックスの始点の位置で音声データファイルを分割し、その後、Ｎo.１のインデックスの終点の位置、Ｎo.２のインデックスの始点の位置、Ｎo.２のインデックスの終点の位置で順次に音声データを分割する（Ｓ２）。音声データファイルの分割が終わると（Ｓ３）、音声データファイル分割回路５ａは、分割された各々の音声データファイルの所定部分にファイル結合情報を記録する（Ｓ４）。【００４９】
次に、音声データファイル分割回路５ａは、これら分割後の音声データファイルを既にフラッシュメモリ８内に作成されているフォルダに格納する（Ｓ５）。次に、使用者がキー入力装置１１を用いて行うこれら分割後の音声データファイルの選択操作に応じて、音声データファイル選択回路５ｂは、分割後の音声データファイルの中からＰＣ２に送信すべき音声データファイルを選択し、選択された音声データファイルがどれであるか後述するＰＣ２からの送信要求を受信した際にＭＣＵ５が判別できるように、選択された音声データファイルのファイル名の一部を変更する（Ｓ６）。【００５０】
ステップＳ６による分割後の音声データファイルの一部又は全ての選択が完了した後、ＩＣレコーダ１とＰＣ２とを使用者が接続すると、ＰＣ２からＵＳＢ端子１６を介してＩＣレコーダ１全体に供給されるＵＳＢバスパワー電圧の変化に基づいて、ＧＰＩＯ１４がＩＣレコーダ１のＵＳＢ端子１６とＰＣ２の図示しないＵＳＢ端子の接続が確立したことを検知し（Ｓ７）、次にＵＳＢコントローラ１５を介してＭＣＵ５がＰＣ２からのファイル送信要求を受信すれば（Ｓ８）、ＭＣＵ５の制御の下、ＵＳＢコントローラ１５は、ステップＳ１によって作成されたフォルダと、それに格納され且つ選択された音声データファイルを、ＵＳＢ端子１６を通してＰＣ２に送信する（Ｓ９）。【００５１】
このように、インデックスデータファイルとリンクした音声データファイルをＰＣ２に送信する場合、送信前にＩＣレコーダ１において音声データファイル分割回路５aが録音中にインデックスを書き込んだ位置で音声データファイルを複数の音声データファイルに分割するので、ＰＣ２はこれら分割した前記音声データファイルを受信することになる。従って、ＰＣ２において、分割した複数の前記音声データファイルの中から使用者が再生を希望する音声データファイルのみ選択することが可能である。つまり、ＩＣレコーダ１上で音声データファイルとインデックスデータファイルをリンクさせることによってインデックスに基づき特定される音声データ部分を選択的に再生する場合と同様に、使用者が再生を希望する音声データ部分をＰＣ２上で選択的に再生することができる。而して、音声データファイルとインデックスデータファイルをリンクさせるＰＣ専用のアプリケーションを用いることなく使用者が再生を希望する音声データ部分を選択的に再生することが可能となる。【００５２】
また、音声データファイル分割回路５aがファイル結合情報を分割した各々の音声データファイルの所定の部分に記録するので、音声データファイル分割回路５aによって音声データファイルが複数の音声データファイルに分割した後に、ＰＣ２においてファイル結合情報に従ってこれらの分割後の音声データファイルを結合することができる。これにより、ファイル結合情報に対応した専用の編集アプリケーションを具備していれば、ＰＣ２において分割前の音声データファイルを復元することができ、分割前の音声データファイルの状態で音声データを連続再生することが可能となる。【００５３】
また、音声データファイル分割回路５aが分割後の複数の音声データファイルを格納するフォルダを作成し、ＵＳＢコントローラ１５がこのフォルダをＰＣ２に送信するので、ＰＣ２において分割後の音声データファイルを分割前の音声データファイルに関連させて一まとまりで保存でき、分割後の各々の音声データファイルが元々どの音声データファイルに属していたのかを容易に知ることができる。【００５４】
さらに、音声データファイル選択回路５bが、ＵＳＢコントローラ１５がＰＣ２に送信する１又は複数の分割後の音声データファイルを選択するので、ＰＣ２はインデックスデータファイルに記録されたインデックスデータに基づき選択された１又は複数の音声データファイルのみ受信することができる。そして、使用者が再生を希望する１又は複数の音声データファイルをＰＣ２において選択することなく再生することができる。【００５５】
次に、本発明の第２実施例に係るＩＣレコーダにおけるＭＣＵ５による音声データファイルのＰＣ２への送信処理を、図５を用いて説明する。なお、第１実施例に係るＩＣレコーダと共通する事項の説明は割愛する。
ここで、第２実施例における分割された音声データファイルのＰＣ２への送信はファイル送信モードにおいて行われる。ファイル送信モードの設定は、予めＰＣ２への送信を希望する音声データファイルを選択した後、この音声データファイルについてファイル送信モードを選択することによって行う。【００５６】
初めに、ＧＰＩＯ１４は、ＰＣ２からＵＳＢ端子１６を介してＩＣレコーダ１全体に供給されるＵＳＢバスパワー電圧の変化に基づいて、ＩＣレコーダ１のＵＳＢ端子１６とＰＣ２の図示しないＵＳＢ端子の接続が確立したことを検知し（Ｓ１１）、その旨の信号を、バス９を介してＭＣＵ５に出力する。そして、ＭＣＵ５は、この信号を受信すると、フラッシュメモリ８内に、分割前の音声データファイルと同じ名称を有し、分割後の音声データファイルを格納するためのフォルダを作成する（Ｓ１２）。【００５７】
次に、音声データ分割回路５aは、図２に示すように、Ｎo.１のインデックスの始点の位置で、予めＰＣ２への送信を希望するとして選択されている音声データファイルを分割し、その後、Ｎo.１のインデックスの終点の位置、Ｎo.２のインデックスの始点の位置、Ｎo.２のインデックスの終点の位置で順次音声データファイルを分割する（Ｓ１３）。音声データファイルの分割が終わると（Ｓ１４）、音声データ分割回路５aは分割した各々の音声データファイルの所定部分にファイル結合情報を記録する（Ｓ１５）。次に、音声データ分割回路５aは、分割後の音声データファイルを既にフラッシュメモリ８内に作成されているフォルダに格納する（Ｓ１６）。【００５８】
その後、ＵＳＢコントローラ１５を介してＭＣＵ５がＰＣ２からのファイル送信要求を受信すれば（Ｓ１７）、ＵＳＢコントローラ１５は、ステップＳ１２によって作成されたフォルダと、それに格納された分割後の音声データファイルを、ＵＳＢ端子１６を通してＰＣ２に送信する（Ｓ１８）。【００５９】
このように、音声データファイルの送信をＰＣ２と接続するＵＳＢ端子１６を介して行う場合、音声データファイル分割回路５aによる音声データファイルの分割をＵＳＢ端子１６がＰＣ２と接続したときに行うので、分割された音声データファイルを送信する場合に必要となるＰＣ２へのＵＳＢ端子１６の接続に伴って簡単に分割された音声データファイルをＰＣ２に送信することができる。従って、使用者によるＩＣレコーダ１におけるインデックス分割モードの設定等の煩わしい作業の必要をなくすことができる。【００６０】
次に、本発明の第３実施例に係るデジタルカメラ２１について説明する。
図６は、第３実施例に係るデジタルカメラ２１の概略構成を示すブロック図である。
電源回路２３は、バッテリ２４、スイッチＳＷ２などから構成され、デジタルカメラ２１全体に電圧を供給するものである。【００６１】
ＣＰＵ２６は、キー入力装置３１の使用者による操作に応じて、デジタルカメラ２１において後述する各種制御を行う。信号処理回路２５は、データファイル分割装置として機能する動画データファイル分割回路２５a及びデータファイル選択装置として機能する動画データファイル選択回路２５bを備える。【００６２】
動画データファイル分割回路２５aは、記録媒体である着脱自在のメモリカード２８から読み出された動画データファイルを複数の動画データファイルに分割する。動画データファイル選択回路２５bは、動画データファイル分割回路２５aが分割した複数の動画データファイルの中からＰＣ２２に送信すべき動画データファイルを選択する。【００６３】
信号処理回路２５は、デジタル動画データの圧縮及び伸張を行う。メモリカード８は、デジタルデータである動画データで構成される動画データファイル及びインデックスデータが書き込まれるインデックスデータファイルを格納する。バス２９は、デジタルカメラ２１において、信号処理回路２５、メモリカード２８、ＳＤＲＡＭ３０の相互間における動画データの交換及びＣＰＵ２６が入出力するコントロール信号の伝達などを行うための経路である。【００６４】
ＳＤＲＡＭ３０は、Ａ／Ｄコンバータ３８から出力された動画データを一時保存する。キー入力装置３１は、図示しないキーやボタンを備え、その押下状態によってＣＰＵ２６へ制御信号を出力し、使用者が所望するデジタルカメラ２１の動作制御を可能にする。【００６５】
表示装置３３は後述する動画再生機能において動作し、インターフェース３２を介して入力される動画データを表示する。【００６６】
撮像装置３７は、撮影によって得られたビデオ信号であるアナログ動画信号をＡ／Ｄコンバータ３８に出力するものである。Ａ／Ｄコンバータ３８は、撮像装置によって得られたアナログ動画信号を、ビデオデータから構成されるデジタルデータであるデジタル動画データに変換する。【００６７】
ＧＰＩＯ３４は、ＰＣ２２から後述するＵＳＢ端子３６を介してデジタルカメラ２１全体に供給される後述するＵＳＢバスパワー電圧の変化に基づいて、デジタルカメラ２１のＵＳＢ端子３６とＰＣ２２の図示しないＵＳＢ端子の接続が確立したことを検知し、その旨の信号をＣＰＵ２６に出力する。【００６８】
ＵＳＢコントローラ３５は、データファイル送信装置として機能し、デジタルカメラ２１とＰＣ２２間の動画データファイル等の送受信の制御を行う。ＵＳＢ端子３６は、接続手段として機能し、デジタルカメラ２１とＰＣ２２間の動画データファイルの送受信を可能にするためＰＣ２２に設けられた図示しないＵＳＢ端子と接続される。【００６９】
ＰＣ２２は、情報処理装置の一例であって、外部装置として機能し、各種情報処理を行う。また、ＰＣ２２は、ＵＳＢ端子３６を介してデジタルカメラ２１と接続され、デジタルカメラ２１との間において動画データファイルの送受信を行う。【００７０】
本実施例のデジタルカメラ２１は、動画再生機能，動画記録機能，及び外部ストレージ機能を備える。以下、これらの機能に関するＣＰＵ２６による制御処理について説明する。【００７１】
1)動画記録機能
第３実施例における動画記録機能とは、デジタルカメラ２１にて動画像を撮影する機能であり、具体的には、撮像装置３７によって捉えられた動画像を、符号化及び圧縮された動画データとしてメモリカード２８に所定のファイル形式で格納する機能である。【００７２】
初めに、デジタルカメラ２１がＰＣ２２と接続されていない状態、つまりＵＳＢ非接続状態で、この電源回路２３に設けられた図示しない電源スイッチのオン操作が行われると、スイッチＳＷ２がオフ状態からオン状態に遷移し、バッテリ２４からデジタルカメラ２１全体に電圧が供給される。【００７３】
ＵＳＢ非接続状態でキー入力装置３１によって動画記録操作が行われると、ＣＰＵ２６は、信号処理回路２５を圧縮モードに設定する。Ａ／Ｄコンバータ３８は、撮像装置３７によって捉えられたアナログ動画信号をデジタル動画データに変換し、変換されたデジタル動画データを信号処理回路２５に出力する。信号処理回路２５は、出力された動画データを圧縮し、圧縮動画データをＳＤＲＡＭ３０に蓄積する。信号処理回路２５は、ＳＤＲＡＭ３０に蓄積された圧縮動画データを所定のファイル形式を有する動画データファイルに加工しフラッシュメモリ８に格納する。【００７４】
また、動画の記録中に、キー入力装置３１において使用者によりインデックス操作が行われると、図７に示すように、動画データファイルに含まれる動画データの時間軸上の位置を表わすインデックスが動画データの所定の部分に対応して設定される。つまり、インデックス操作が行われると、信号処理回路２５は、動画データファイルとリンクしてインデックスデータファイルを作成し、作成したインデックスファイルをメモリカード２８に格納する。そして、このインデックスファイルには、信号処理回路２５により、図８に示すようなインデックスデータ、即ちインデックスが動画データの先頭から何番目に付されたものであるかを示すインデックス番号と、このインデックス番号に対応する動画データ部分の始点及び終点の位置（インデックス位置絶対フレーム数（動画データの先頭からのフレーム数）で示される。）が書き込まれる。【００７５】
そして、動画記録動作終了後、使用者の操作に応じて、このインデックスデータに基づいた動画データファイルの分割が行われる。つまり、動画データファイルの分割は、分割前の動画データファイルと同じ名称を有するフォルダをメモリカード２８に作成した後、図７に示すように、動画データ分割回路２５aがＮo.１のインデックスの始点の位置で動画データファイルを分割し、その後、Ｎo.１のインデックスの終点の位置、Ｎo.２のインデックスの始点の位置、Ｎo.２のインデックスの終点の位置で順次動画データファイルを分割する。動画データファイルの分割が終わると、動画データ分割回路２５aにより分割された各々の分割データファイルの所定部分に分割前の動画データファイルを復元するためのファイル結合情報が記録される。なお、分割処理によって得られた分割データファイルは、分割処理開始時にメモリカード２８に作成されるた前記分割前の動画データファイルと同じ名称を有するフォルダに格納される。【００７６】
ファイル結合情報とは、分割前の動画データファイルのファイル名、分割によって作成された分割データファイルの総個数、当該分割データファイルが分割前の動画データファイルの時間軸上の順位、等である。動画データ分割回路２５aにより分割された各々の分割データファイルが送信されたＰＣ２２は、該分割データファイルに対応した専用の編集アプリケーションを具備していれば、これらの情報を用いることによって分割前の動画データファイルを復元することが可能となる。なお、ＰＣ２２への分割データファイルの送信については後で述べる。【００７７】
2)動画再生機能
第３実施例における動画再生機能とは、デジタルカメラ２１に記録された動画データファイルを再生する機能であり、具体的には、メモリカード２８に所定のファイル形式で格納された符号化及び圧縮された動画データを、伸張及び復号化した後に表示装置３３にて表示する機能である。【００７８】
初めに、ＵＳＢ非接続状態でキー入力装置３１によって再生操作が行われると、ＣＰＵ２６は、信号処理回路２５を伸長モードに設定し、メモリカード２８に格納された動画データファイルを、バス２９を通して読み出す。読み出された動画データファイルは、信号処理回路２５にて伸張及び復号化した後、インターフェース３２に出力される。なお、信号処理回路２５はＳＤＲＡＭ３０を作業バッファとして用いる。【００７９】
ここで、キー入力装置３１によって動画データファイルの分割操作が行われると、動画データファイル分割回路２５aはメモリカード２８から読み出された動画データファイルを複数の動画データファイルに分割し、これらの動画データファイルを、メモリカード２８に出力する。また、この動画データファイルの分割操作がインデックスに基づくファイル分割であった場合には、動画データファイル分割回路２５aはメモリカード２８から読み出された動画データファイルをインデックスで特定される所定の位置において複数の動画データファイルに分割し、これらの動画データファイルを、メモリカード２８に出力する。【００８０】
信号処理回路２５は、メモリカード２８より読み出された動画データファイル含まれる圧縮された動画データを伸張し、伸張されたデジタル動画データは表示装置３３にて表示される。【００８１】
尚、記録時にインデックスデータファイルに書き込まれたインデックスに対応する動画データ部分の再生は、信号処理回路２５がインデックスデータファイルに書き込まれたインデックスの始点と終点に対応する動画データの位置を読み込んだ後、信号処理回路２５がこの始点と終点に挟まれた領域の動画データを再生することによって行う。【００８２】
3)外部ストレージ機能
第３実施例における外部ストレージ機能とは、ＰＣ２２からのアクセス要求に応答して、ＰＣ２２との間において動画データファイル等を送受信する機能である。【００８３】
初めに、デジタルカメラ２１がＵＳＢ端子３６によってＰＣ２２と接続されると、つまりＵＳＢ接続状態に移行すると、ＵＳＢバスパワー電圧がＰＣ２２からデジタルカメラ２１に供給される。【００８４】
ＵＳＢ接続状態でキー入力装置３１によって外部ストレージモード選択操作が行われると、ＣＰＵ２６は、ＰＣ２２からのアクセス要求に従ってメモリカード２８にアクセスする。アクセス要求がファイルの書き込みを要求するものであれば、ＣＰＵ２６は、ＰＣ２２から与えられる動画データファイルを、バス２９を通してメモリカード２８に書き込む。また、アクセス要求が動画データファイルの読み出し（送信）を要求するものであれば、ＣＰＵ２６は、メモリカード２８に記憶された所望の動画データファイルを、バス２９を通して読み出し、読み出した動画データファイルをＵＳＢコントローラ３５及びＵＳＢ端子３６を通してＰＣ２２に送信する。【００８５】
次に、第３実施例に係るデジタルカメラ２１におけるＣＰＵ２６と、ＣＰＵ２６によって制御される信号処理回路２５やＵＳＢコントローラ３５による動画データファイルのＰＣ２２への送信処理を、図９を用いて説明する。
ここで、第３実施例における分割した動画データファイルのＰＣ２２への送信は、インデックス分割モードにおいて行われる。インデックス分割モードの設定は、予め使用者が分割を希望する動画データファイルを選択した後、記録中にインデックスを書き込んだ位置で動画データファイル中の動画データを分割するインデックス分割モードを選択することによって行われる。【００８６】
初めに、メモリカード２８内に、分割前の動画データファイルと同じ名称を有し、分割した後の動画データファイルを格納するためのフォルダを作成する（Ｓ２１）。次に、動画データ分割回路２５aは、図７に示すように、Ｎo.１のインデックスの始点の位置で動画データファイルを分割し、その後、Ｎo.１のインデックスの終点の位置、Ｎo.２のインデックスの始点の位置、Ｎo.２のインデックスの終点の位置で順次に動画データを分割する（Ｓ２２）。動画データファイルの分割が終わると（Ｓ２３）、動画データ分割回路２５aは、分割された各々の動画データファイルの所定部分にファイル結合情報を記録する（Ｓ２４）。【００８７】
次に、動画データファイル分割回路２５aは、これら分割後の動画データファイルを既にメモリカード２８内に作成されているフォルダに格納する（Ｓ２５）。次に、使用者がキー入力装置３１を用いて行うこれら分割後の動画データファイルの選択操作に応じて、動画データファイル選択回路２５ｂは、分割後の動画データファイルの中からＰＣ２２に送信すべき動画データファイルを選択し、選択された動画データファイルがどれであるか後述するＰＣ２２からの送信要求を受信した際にＣＰＵ２６が判別できるように、選択された動画データファイルのファイル名の一部を変更する（Ｓ２６）。【００８８】
ステップＳ２６による分割後の動画データファイルの一部又は全ての選択が完了した後、デジタルカメラ２１とＰＣ２２とを使用者が接続すると、ＰＣ２２からＵＳＢ端子３６を介してデジタルカメラ２１に供給されるＵＳＢバスパワー電圧の変化に基づいて、ＧＰＩＯ３４がデジタルカメラ２１のＵＳＢ端子３６とＰＣ２２の図示しないＵＳＢ端子の接続が確立したことを検知し（Ｓ２７）、次にＵＳＢコントローラ３５を介してＣＰＵ２６がＰＣ２２からのファイル送信要求を受信すれば（Ｓ２８）、ＣＰＵ２６の制御の下、ＵＳＢコントローラ３５は、ステップＳ２１によって作成されたフォルダと、それに格納され且つ選択された動画データファイルを、ＵＳＢ端子３６を通してＰＣ２２に送信する（Ｓ２９）。【００８９】
このように、インデックスデータファイルとリンクした動画データファイルをＰＣ２２に送信する場合、送信前にＩＣレコーダ１において動画データファイル分割回路２５aが記録中にインデックスを書き込んだ位置で動画データファイルを複数の動画データファイルに分割するので、ＰＣ２２はこれら分割した動画データファイルを受信することになる。従って、ＰＣ２２において、分割した複数の動画データファイルの中から使用者が再生を希望する動画データファイルのみ選択することが可能である。つまり、デジタルカメラ２１上で動画データファイルとインデックスデータファイルをリンクさせることによってインデックスに基づき特定される動画データ部分を選択的に再生する場合と同様に、使用者が再生を希望する動画データ部分をＰＣ２２上で選択的に再生することができる。而して、動画データファイルとインデックスデータファイルをリンクさせるＰＣ専用のアプリケーションを用いることなく使用者が再生を希望する動画データ部分を選択的に再生することが可能となる。【００９０】
また、動画データファイル分割回路２５aがファイル結合情報を分割した各々の動画データファイルの所定の部分に記録するので、動画データファイル分割回路５aによって動画データファイルが複数の動画データファイルに分割した後に、ＰＣ２２においてファイル結合情報に従ってこれらの分割後の動画データファイルを結合することができる。これにより、ファイル結合情報に対応した専用の編集アプリケーションを具備していれば、ＰＣ２において分割前の動画データファイルを復元することができ、分割前の動画データファイルの状態で動画データを連続再生することが可能となる。【００９１】
また、動画データファイル分割回路２５aが分割後の複数の動画データファイルを格納するフォルダを作成し、ＵＳＢコントローラ３５がこのフォルダをＰＣ２２に送信するので、ＰＣ２２において分割後の動画データファイルを分割前の動画データファイルに関連させて一まとまりで保存でき、分割後の各々の動画データファイルが元々どの動画データファイルに属していたのかを容易に知ることができる。【００９２】
さらに、動画データファイル選択回路２５bが、ＵＳＢコントローラ３５がＰＣ２に送信する１又は複数の分割後の動画データファイルを選択するので、ＰＣ２２はインデックスデータファイルに記録されたインデックスデータに基づき選択された１又は複数の動画データファイルのみ受信することができる。そして、使用者が再生を希望する１又は複数の動画データファイルをＰＣ２２において選択することなく再生することができる。【００９３】
次に、本発明の第４実施例に係るデジタルカメラにおけるＣＰＵ２６と、ＣＰＵ２６によって制御される信号処理回路２５やＵＳＢコントローラ３５による動画データファイルのＰＣ２２への送信処理を、図１０を用いて説明する。なお、第３実施例に係るデジタルカメラと共通する事項の説明は割愛する。
ここで、第４実施例における分割された動画データファイルのＰＣ２２への送信はファイル送信モードにおいて行われる。ファイル送信モードの設定は、予めＰＣ２２への送信を希望する動画データファイルを選択した後、この動画データファイルについてファイル送信モードを選択することによって行う。【００９４】
初めに、ＧＰＩＯ３４は、ＰＣ２２からＵＳＢ端子３６を介してデジタルカメラ２１に供給されるＵＳＢバスパワー電圧の変化に基づいて、デジタルカメラ２１のＵＳＢ端子３６とＰＣ２２の図示しないＵＳＢ端子の接続が確立したことを検知し（Ｓ３１）、その旨の信号を、バス２９を介してＣＰＵ２６に出力する。そして、ＣＰＵ２６は、この信号を受信すると、メモリカード２８内に、分割前の動画データファイルと同じ名称を有し、分割後の動画データファイルを格納するためのフォルダを作成する（Ｓ３２）。【００９５】
次に、動画データファイル分割回路２５aは、図７に示すように、Ｎo.１のインデックスの始点の位置で、予めＰＣ２２への送信を希望するとして選択されている動画データファイルを分割し、その後、Ｎo.１のインデックスの終点の位置、Ｎo.２のインデックスの始点の位置、Ｎo.２のインデックスの終点の位置で順次音声データファイルを分割する（Ｓ３３）。動画データファイルの分割が終わると（Ｓ３４）、動画データファイル分割回路２５aは分割した各々の動画データファイルの所定部分にファイル結合情報を記録する（Ｓ３５）。次に、動画データファイル分割回路２５aは、分割後の動画データファイルを既にメモリカード２８内に作成されているフォルダに格納する（Ｓ３６）。【００９６】
その後、ＵＳＢコントローラ３５を介してＣＰＵ２６がＰＣ２２からのファイル送信要求を受信すれば（Ｓ３７）、ＵＳＢコントローラ３５は、ステップＳ３２によって作成されたフォルダと、それに格納された分割後の動画データファイルを、ＵＳＢ端子３６を通してＰＣ２２に送信する（Ｓ３８）。【００９７】
このように、動画データファイルの送信をＰＣ２２と接続するＵＳＢ端子３６を介して行う場合、動画データファイル分割回路２５aによる動画データファイルの分割をＵＳＢ端子３６がＰＣ２２と接続したときに行うので、分割された動画データファイルを送信する場合に必要となるＰＣ２２へのＵＳＢ端子３６の接続に伴って簡単に分割された動画データファイルをＰＣ２２に送信することができる。従って、使用者によるデジタルカメラ２１におけるインデックス分割モードの設定等の煩わしい作業の必要をなくすことができる。【００９８】
以上、本発明の第１〜第４実施例について説明したが、本発明におけるデータ記録装置、及びデータ記録装置におけるデータファイルの送信方法において、取り扱うデータファイルは、オーディオデータ及びビデオデータの両方で構成されるデジタルデータを含んでいても良い。【００９９】
また、データファイルの分割処理は、元のデータファイルそのものを分割し、元のデータファイルを残さないようにしても良いし、元のデータファイルを残し、分割データファイルを新たに作成することを分割処理としてもよい。分割処理によて作成される分割データファイルのファイル名は、ファイルの順番がわかりやすいように連番等を付与する等、任意に決めることができる。【０１００】
また、分割処理によって作成されたデータファイルや該データファイルを格納するフォルダの外部装置への送信は、データ記録装置であるＩＣレコーダやデジタルカメラが外部装置であるＰＣからの送信要求を受信することによって開始するのではなく、外部装置であるＰＣからの送信要求を必要とせず、データ記録装置であるＩＣレコーダやデジタルカメラが自動的且つ主体的に開始するようにしてもよい。そのように構成した場合、図４に示したステップＳ８、図５に示したステップＳ１７、図９に示したステップＳ２８、図１０に示したステップＳ３７は不要となる。
【図面の簡単な説明】
【０１０１】
【図１】本発明の実施例に係るＩＣレコーダの概略構成を示すブロック図である。
【図２】図１に示すＩＣレコーダのフラッシュメモリに格納される音声データファイルを構成する音声データを示す図である。
【図３】図１に示すＩＣレコーダのフラッシュメモリに格納されたインデックスデータファイルのデータ構造を示した図である。
【図４】本発明の第１実施例に係るＩＣレコーダにおける音声データファイルのＰＣへの送信処理を示すフローチャートである。
【図５】本発明の第２実施例に係るＩＣレコーダにおける音声データファイルのＰＣへの送信処理を示すフローチャートである。
【図６】本発明の実施例に係るデジタルカメラの概略構成を示すブロック図である。
【図７】図６に示すデジタルカメラのメモリカードに格納される動画データファイルを構成する動画データを示す図である。
【図８】図６に示すデジタルカメラのメモリカードに格納されたインデックスデータファイルのデータ構造を示した図である。
【図９】本発明の第３実施例に係るデジタルカメラにおける動画データファイルのＰＣへの送信処理を示すフローチャートである。
【図１０】本発明の第４実施例に係るデジタルカメラにおける動画データファイルのＰＣへの送信処理を示すフローチャートである。
【符号の説明】
【０１０２】
１  ＩＣレコーダ
２  ＰＣ
５  ＭＣＵ
５a  音声データファイル分割回路
５b  音声データファイル選択回路
１５  ＵＳＢコントローラ
１６  ＵＳＢ端子
２１  デジタルカメラ
２２  ＰＣ
２５a  動画データファイル分割回路
２５b  動画データファイル選択回路
２６  ＣＰＵ
３５  ＵＳＢコントローラ
３６  ＵＳＢ端子
【図１】
2006126679.tif 000002
【図２】
2006126679.tif 000003
【図３】
2006126679.tif 000004
【図４】
2006126679.tif 000005
【図５】
2006126679.tif 000006
【図６】
2006126679.tif 000007
【図７】
2006126679.tif 000008
【図８】
2006126679.tif 000009
【図９】
2006126679.tif 000010
【図１０】
2006126679.tif 000011
【国際調査報告】
2006126679.tif 000012
2006126679.tif 000013
2006126679.tif 000014
2006126679.tif 000015